(57)【要約】【課題】  フェライトコアの重みがコルゲートチューブに加わらず、フェライトコアの取付箇所の均一化が図れ、コルゲートチューブ周りの部品点数、作業工程数を減らす。【解決手段】  ケーブルが収納されるコルゲートチューブ５００を固定するフェライトケースであり、第１及び第２の半円環部１２０Ａ、１２０Ｂを閉じることでコルゲートチューブ５００に外嵌される外嵌用円環部１１０と、第１の半円環部１２０Ａに設けられ、フェライトケース１００を被固定物９００に固定する固定部１３０と、第１及び第２の半円環部１２０Ａ、１２０Ｂにそれぞれ格納される半円環状の一対のフェライトコア１９０とを備え、第１及び第２の半円環部１２０Ａ、１２０Ｂにはフェライトコア１９０が格納されるコア格納部１４０Ａ、１４０Ｂが形成され、第１及び第２の半円環部１２０Ａ、１２０Ｂを閉じると、格納されたフェライトコア１９０の平坦部１９１同士が密着する。【選択図】      図１
2015015828.tif 000002
【特許請求の範囲】
【請求項１】
各種ケーブルが収納されるコルゲートチューブやケーブルを固定するフェライトケースにおいて、ヒンジ部で連結された一対の半円環部を閉じることでコルゲートチューブやケーブルに外嵌される外嵌用円環部と、前記半円環部の一方に設けられ、フェライトケースを被固定物に固定する固定部と、前記一対の半円環部に格納される半円環状の一対のフェライトコアとを具備しており、前記半円環部には前記フェライトコアが格納されるコア格納部が形成されており、半円環部を閉じると、格納されたフェライトコアの平坦部同士が密着することを特徴とするフェライトケース。
【請求項２】
前記半円環部の一対の平坦面には、コルゲートチューブの外径に対応した半円形凹部が形成されており、少なくとも一方の平坦面の半円形凹部には、コルゲートチューブの凹部に嵌まり込む凸脈が形成されていることを特徴とする請求項１記載のフェライトケース。
【発明の詳細な説明】
【技術分野】
【０００１】
本発明は、内部に各種ケーブルが収納されるコルゲートチューブやケーブルを固定するフェライトケースに関する。
【背景技術】
【０００２】
自動車に限らず各種の機器において、複数のケーブルが収束されて構成されたワイヤーハーネス等の各種ケーブルは、コルゲートチューブに格納されて所定の位置に設置されなければならない。このため、コルゲートチューブを固定するための各種のコルゲートクランプが考案されている。例えば、特開２００９−２１３３１４号公報に開示されたものがある。
【０００３】
【特許文献１】特開２００９−２１３３１４号公報
【発明の開示】
【発明が解決しようとする課題】
【０００４】
ところで、電磁波ノイズを除去する目的で、各種ケーブルが収納されたコルゲートチューブにフェライトコアが取り付けられることがある。この種のフェライトコアには円筒状のものと略樋状に分割したものとがあるが、円筒状のものはコルゲートチューブを挿通させなければならないので作業性に劣る。このため、分割したフェライトコアが使用されることが多い。
【０００５】
しかしながら、分割したフェライトコアであると、コルゲートチューブに外嵌された状態で固定される必要がある。この固定のため、フェライトコアをフェライトケースに格納したり、結束バンドや粘着テープ、収縮チューブ等の各種固定手段で固定したりしていた。
【０００６】
フェライトケースを使用した場合、このフェライトコアは、フェライトケースに格納された状態でコルゲートチューブに外嵌される。コルゲートチューブ自体が太いので、フェライトコアも大きなものにならざるを得ず、その重量も大きなものになってしまう。
このため、コルゲートチューブがフェライトコアの重みで撓んでしまい、その結果、コルゲートチューブに収納された各種ケーブルに負荷がかかってしまうという問題があった。特に、自動車等の振動の多いものに使用される場合にはフェライトコアの重みによるコルゲートチューブの撓みが問題になっていた。
さらに、フェライトコアのコルゲートチューブへの取付箇所が、作業をする者によって微妙に異なるおそれがある。フェライトコアの取付箇所の違いは、各種ケーブルに対す負荷の位置が異なることにつながるので、電磁波ノイズの除去性能が微妙に異なるという問題も起こりうる。
【０００７】
また、コルゲートチューブ自身を例えば自動車のシャーシ等の被固定物に固定しなければならないので、コルゲートチューブ周りでは、コルゲートチューブへのフェライトコアの取り付け、コルゲートチューブの被固定物への固定という２つの作業が必要になっている。
【０００８】
本発明は、上記事情に鑑みて創案されたもので、フェライトコアの重みがコルゲートチューブ、ひいては収納された各種ケーブルに加わらず、フェライトコアの取付箇所の均一化が図れ、しかもコルゲートチューブ周りの部品点数、作業工程数を減らすことができるフェライトケースを提供することを目的としている。
【課題を解決するための手段】
【０００９】
本発明に係るフェライトケースは、各種ケーブルが収納されるコルゲートチューブやケーブルを固定するフェライトケースであって、ヒンジ部で連結された一対の半円環部を閉じることでコルゲートチューブやケーブルに外嵌される外嵌用円環部と、前記半円環部の一方に設けられ、フェライトケースを被固定物に固定する固定部と、前記一対の半円環部に格納される半円環状の一対のフェライトコアとを備えており、前記半円環部には前記フェライトコアが格納されるコア格納部が形成されており、半円環部を閉じると、格納されたフェライトコアの平坦部同士が密着するようになっている。
【００１０】
また、前記半円環部の一対の平坦面には、コルゲートチューブの外径に対応した半円形凹部が形成されており、少なくとも一方の平坦面の半円形凹部には、コルゲートチューブの凹部に嵌まり込む凸脈が形成されている。
【発明の効果】
【００１１】
本発明に係るフェライトケースは、フェライトコアを格納しており、被固定物に固定されるものであるので、フェライトコアの重みがコルゲートチューブ、ひいては収納された各種ケーブルに加わらないという効果を奏する。
これは、コルゲートチューブを用いることなく、ケーブルやケーブル束に直接取り付けた場合も同様である。
また、同時にフェライトコアを格納していた従来のフェライトケースや、結束バンド、粘着テープ、収縮チューブ等の固定手段が不用になるので、部品点数の削減に資するものである。
【００１２】
さらに、このフェライトケースは、コルゲートチューブへのフェライトコアの取付、コルゲートチューブの被固定物への固定という２つの作業を一度に行うことができるので、取付作業の工程数の削減にも資するものである。
これは、コルゲートチューブを用いることなく、ケーブルやケーブル束に直接取り付けた場合も同様である。
【００１３】
また、このフェライトケースを用いると、フェライトコアはコルゲートチューブを被固定物に固定する箇所に取り付けられることになるので、コルゲートチューブ、ひいては各種ケーブルに対するフェライトコアの取付箇所の均一化を図ることができる。
これは、コルゲートチューブを用いることなく、ケーブルやケーブル束に直接取り付けた場合も同様である。
【図面の簡単な説明】
【００１４】
【図１】本発明の実施の形態に係るフェライトケースを開いた状態の概略的斜視図である。
【図２】本発明の実施の形態に係るフェライトケースを閉じた状態の概略的斜視図である。
【図３】本発明の実施の形態に係るフェライトケースを構成する外嵌用円環部を開いた状態の概略的斜視図である。
【図４】本発明の実施の形態に係るフェライトケースに使用される外嵌用円環部の図面であって、同図（Ａ）は概略的平面図、同図（Ｂ）は概略的正面図、同図（Ｃ）は概略的底面図、同図（Ｄ）は概略的背面図、同図（Ｅ）は概略的右側面図、同図（Ｆ）は概略的左側面図である。
【図５】本発明の実施の形態に係るフェライトケースに使用されるフェライトコアの概略的斜視図である。
【図６】本発明の実施の形態に係るフェライトケースをコルゲートチューブに取り付け、さらにフェライトケースを被固定物に固定した状態を示す概略的斜視図である。
【図７】本発明の実施の形態に係るフェライトケースの半円環部の凸脈がコルゲートチューブの凹部に嵌まり込んだ状態を示す概略的断面図である。
【発明を実施するための形態】
【００１５】
本発明の実施の形態に係るフェライトケース１００は、ワイヤーハーネス等の各種ケーブル（図示省略）が収納されるコルゲートチューブ５００を固定するフェライトケースであって、一対の第１及び第２の半円環部１２０Ａ、１２０Ｂを閉じることでコルゲートチューブ５００に外嵌される外嵌用円環部１１０と、前記第１の半円環部１２０Ａに設けられ、フェライトケース１００を被固定物９００に固定する固定部１３０と、前記第１及び第２の半円環部１２０Ａ、１２０Ｂにそれぞれ格納される半円環状の一対のフェライトコア１９０とを備えており、前記第１及び第２の半円環部１２０Ａ、１２０Ｂには前記フェライトコア１９０が格納されるコア格納部１４０Ａ、１４０Ｂが形成されており、第１及び第２の半円環部１２０Ａ、１２０Ｂを閉じると、格納されたフェライトコア１９０の平坦部１９１同士が密着するように構成されている。
【００１６】
まず、前記フェライトコア１９０は、図５に示すように、円筒形を軸芯を含んだ平面で二つ割りにした半円環状に形成されている。なお、このフェライトコア１９０の二つ割りにした面を平坦部１９１、平坦部１９１に挟まれた凹部を溝部１９２とする。
また、このフェライトコア１９０の溝部１９２の両端縁部には、後述するコア固定爪１２７Ａ、１２７Ｂが引っかかるための凹み１９３が形成されている。
【００１７】
前記外嵌用円環部１１０は、第１の半円環部１２０Ａの周面部１２１Ａの縁部と、第２の半円環部１２０Ｂの周面部１２１Ｂの縁部とが２つのヒンジ部１５０で連結されたものであり、第１の半円環部１２０Ａと第２の半円環部１２０Ｂとを閉じると略円筒形状になる。すなわち、第１及び第２の半円環部１２０Ａ、１２０Ｂを閉じた状態では、対向する頂面の平坦面１２２Ａ、１２２Ｂにそれぞれ開口１２３が１つずつ形成されるのである。この開口１２３は、前記フェライトコア１９０の溝部１９２と対応してコルゲートチューブ５００が貫通する部分となる。
なお、この外嵌用円環部１１０は、ポリアミドやその他の樹脂から成形されている。
【００１８】
前記第１の半円環部１２０Ａは、略樋状の周面部１２１Ａと、対向する一対の平坦面１２２Ａとが一体に形成されたものであって、内側の凹部がコア格納部１４０Ａとなっている。前記平坦面１２２Ａは、半円形の中心に半円形凹部１２４Ａが形成されており、第２の半円環部１２０Ｂの半円形凹部１２４Ｂと共同して前記開口１２３を形成することになる（図１参照）。
【００１９】
前記第２の半円環部１２０Ｂも、上述した第１の半円環部１２０Ａと主要な部分、すなわち周面部１２１Ｂ、平坦面１２２Ｂ及びそれに形成された半円形凹部１２４Ｂは共通している。
【００２０】
２つの前記開口１２３のうち、一方の開口１２３を構成する半円形凹部１２４Ａ、１２４Ｂの縁部には、図７に示すように、コルゲートチューブ５００の凹部５１０に嵌まり込む凸脈１２５Ａ、１２５Ｂが突出形成されている。一方の開口１２３を構成する半円形凹部１２４Ａ、１２４Ｂのみに凸脈１２５Ａ、１２５Ｂが形成されるのは、コルゲートチューブ５００は製品によって凹部５１０のピッチが異なることに由来する。すなわち、もし２つの開口１２３の両方に凸脈１２４Ａ、１２４Ｂが形成されていると、一方の開口１２３の凸脈１２４Ａ、１２４Ｂはコルゲートチューブ５００の凹部５１０に嵌まっても、他方の開口１２３の凸脈１２４Ａ、１２４Ｂが凹部５１０に嵌まらないという問題が生じるおそれがあるからである。
なお、前記凸脈１２４Ａ、１２４Ｂは、コルゲートチューブ５００の凹部５１０に嵌まり込んで、フェライトケース１００のコルゲートチューブ５００における位置を決定するものである。
【００２１】
前記ヒンジ部１５０は、第１及び第２の半円環部１２０Ａ、１２０Ｂを開閉可能に連結するものであって、図３や図４に示すように、第１及び第２の半円環部１２０Ａ、１２０Ｂを連結している。すなわち、２つのヒンジ部１５０の間には、第１及び第２の半円環部１２０Ａ、１２０Ｂを連結していない空白部分１５１が設けられているのである。
【００２２】
この空白部１５１が設けられたのは、例えば、第１の半円環部１２０Ａが捻られた場合に、その力を逃がすためである。もし、空白部１５１が設けられておらず、第１の半円環部１２０Ａに捻りの力が加えられると、捻りの力は他方の第２の半円環部１２０Ｂにすべて伝わってしまう。
このフェライトケース１００は、自動車等の振動の多い環境で使用されるものなので、捻りの力を逃がすことが重要になっている。
【００２３】
前記一対の第１及び第２の半円環部１２０Ａ、１２０Ｂのうち、第１の半円環部１２０Ａの周面部１２１Ａの外側面には、フェライトケース１００を被固定物９００に固定するための固定部１３０が形成されている。この固定部１３０は、第２の半円環部１２０Ｂとヒンジ部１５０で連結された側とは反対の側に形成されている。
この固定部１３０は、被固定物９００に設けられた舌片状の挿入片９１０が挿入される挿入孔部１３１が設けられている。また、この固定部１３０には、第２の半円環部１２０Ｂの後述する係合爪１６０が係合するための係合孔部１３２が設けられている。
【００２４】
前記係合爪１６０は、前記固定部１３０が設けられた第１の半円環部１２０Ａとは異なる第２の半円環部１２０Ｂに設けられている。しかも、第１の半円環部１２０Ａのヒンジ部１５０で連結された側とは反対の側に形成されている。
従って、一対の第１及び第２の半円環部１２０Ａ、１２０Ｂを閉じると、係合爪１６０が固定部１３０の係合孔部１３２に係合されるのである。
【００２５】
ところで、一対の第１及び第２の半円環部１２０Ａ、１２０Ｂのコア格納部１４０Ａ、１４０Ｂを構成する周面部１２１Ａ、１２１Ｂには、フェライトコア１９０を押圧する押圧部１２６Ａ、１２６Ｂがそれぞれ２つずつ形成されている。この押圧部１２６Ａ、１２６Ｂは、フェライトコア１９０を第１及び第２の半円環部１２０Ａ、１２０Ｂの外側（コルゲートチューブ５００に取り付けた状態におけるコルゲートチューブ５００側）に押し出すことによって、フェライトコア１９０の平坦部１９１同士を密着させるものである。
かかる押圧部１２６Ａ、１２６Ｂは、周面部１２１Ａ、１２１Ｂの底部にそれぞれ形成されている。この押圧部１２６Ａ、１２６Ｂは、コア格納部１４０Ａ、１４０Ｂの内側に向かって突出しており、コア格納部１４０Ａ、１４０Ｂに格納されたフェライトコア１９０を外側（コルゲートチューブ５００に取り付けた状態におけるコルゲートチューブ５００側）に向かって押し出すようになっている。
【００２６】
また、この一対の第１及び第２の半円環部１２０Ａ、１２０Ｂには、コア格納部１４０Ａ、１４０Ｂに格納されたフェライトコア１９０を固定するコア固定爪１２７Ａ、１２７Ｂが形成されている。
このコア固定爪１２７Ａ、１２７Ｂは、格納されたフェライトコア１９０を固定するために、フェライトコア１９０の溝部１９２の凹み１９３に係止されるようになっている。このため、このコア固定爪１２７Ａ、１２７Ｂは、図４に示すように、第１及び第２の半円環部１２０Ａ、１２０Ｂの一対の平坦面１２２Ａ、１２２Ｂの内側面で、平坦面１２２Ａ、１２２Ｂに形成された半円形凹部１２４Ａ、１２４Ｂの底面に相当する部分に形成されている。
【００２７】
このように構成された外嵌用円環部１１０の一対の第１及び第２の半円環部１２０Ａ、１２０Ｂのコア格納部１４０Ａ、１４０Ｂにそれぞれフェライトコア１９０を格納する（図１参照）。
フェライトコア１９０は、前記コア固定爪１２７Ａ、１２７Ｂによってコア格納部１４０Ａ、１４０Ｂに固定される。またこれと同時に、フェライトコア１９０は、コア格納部１４０Ａ、１４０Ｂにそれぞれある押圧部１２６Ａ、１２６Ｂによって、それぞれ第１及び第２の半円環部１２０Ａ、１２０Ｂの外側（コルゲートチューブ５００に取り付けた状態におけるコルゲートチューブ５００側）に向かって押し出される力が加えられる。
【００２８】
フェライトコア１９０をコア格納部１４０Ａ、１４０Ｂにそれぞれ格納した状態でコルゲートチューブ５００をいずれか一方のフェライトコア１９０の溝部１９２に嵌め込む。第１の半円環部１２０Ａに格納されたフェライトコア１９０の溝部１９２にコルゲートチューブ５００を嵌め込んだとしたならば、コルゲートチューブ５００が嵌め込まれた側のフェライトコア１９０が格納された側、すなわち第１の半円環部１２０Ａの凸脈１２５Ａがコルゲートチューブ５００の凹部５１０が嵌まり込むようにする。
なお、コルゲートチューブ５００には各種ケーブルが収納されていても、未収納であってもよい。
【００２９】
この状態で一対の第１及び第２の半円環部１２０Ａ、１２０Ｂを閉じて、第２の半円環部１２０Ｂにある係合爪１６０が第１の半円環部１２０Ａにある係合孔部１３２に係合させる。
この際、第１の半円環部１２０Ａの凸脈１２５Ａが嵌まり込んでいたコルゲートチューブ５００の凹部５１０には、第２の半円環部１２０Ｂの凸脈１２６Ｂも嵌まり込む。これによって、コルゲートチューブ５００は、外嵌用円環部１１０を含むフェライトケース１００における位置が決定される。
すなわち、コルゲートチューブ５００へのフェライトケース１００の取り付けによって、フェライトコア１９０のコルゲートチューブ５００への取付と、コルゲートチューブ５００の被固定物９００への固定とが１つのフェライトケース１００によって同時に行われるので、部品点数の削減、作業工数の削減を図ることができる。
【００３０】
また、同時に、第１及び第２の半円環部１２０Ａ、１２０Ｂを閉じることによって、一対のフェライトコア１９０は平坦部１９１同士が向かい合うことなり、押圧部１２６Ａ、１２６Ｂの押し出し力によって平坦部１９１同士は密着する。
【００３１】
コルゲートチューブ５００を固定したフェライトケース１００のを被固定物９００への固定は、図６に示すように、被固定物９００の舌片状の挿入片９１０を固定部１３０に設けられた挿入孔部１３１に挿入することで行われる。
このフェライトケース１００の被固定物９００への固定により、重量のあるフェライトコア１９０が被固定物９００に固定されるのと同様になり、コルゲートチューブ５００にフェライトコア１９０の重量が直接加えられることはなくなる。このため、フェライトコア１９０によるコルゲートチューブ５００の撓みの問題は解消される。
【００３２】
なお、前記押圧部１２６Ａ、１２６Ｂやコア固定爪１２７Ａ、１２７Ｂの位置は、上述した実施の形態のものに限定されるものではないし、固定部１３０や係合爪１６０の形状も図面に示されたものに限定されるものではない。
【００３３】
また、上述した実施の形態では、コルゲートチューブ５００に適用された場合を説明したが、本発明はこれに限定されるものではない。例えば、コルゲートチューブ５００に代表される各種のチューブに格納されていない剥き出しのケーブルやケーブル束にも、本発明のフェライトケースは適用されうるものであることはいうまでもない。
【符号の説明】
【００３４】
１００    フェライトケース
１１０    外嵌用円環部
１２０Ａ  第１の半円環部
１２０Ｂ  第２の半円環部
１４０Ａ  コア格納部
１４０Ｂ  コア格納部
１９０    フェライトコア
１９１    平坦部
５００    コルゲートチューブ
【図１】
2015015828.tif 000003
【図２】
2015015828.tif 000004
【図３】
2015015828.tif 000005
【図４】
2015015828.tif 000006
【図５】
2015015828.tif 000007
【図６】
2015015828.tif 000008
【図７】
2015015828.tif 000009